(57)【特許請求の範囲】
【請求項１】
下ケースと上ケースとが連結され、プラグの栓刃が挿入される栓刃挿入孔が前記上ケースに形成され、栓刃受け収納凹部と電線挿入孔とが前記下ケースに形成されたコンセントケースと；
一対の栓刃受け側板とこれらの栓刃受け側板の一端側を連結する栓刃受け底板とから形成されて前記栓刃受け収納凹部内に収納され、当該栓刃受け収納凹部内で一方の前記栓刃受け側板と反対側の位置で他方の栓刃受け側板が前記下ケースに当接されて保持され、前記栓刃挿入孔から前記コンセントケース内に挿入された前記栓刃を一対の前記栓刃受け側板で挟持する栓刃受けと；
前記他方の栓刃受け側板と反対側の位置で前記一方の前記栓刃受け側板に平行に対向する電線押え部が設けられて前記栓刃受けに一体に形成された端子部と；
前記他方の栓刃受け側板と前記電線押え部との間に装着され、前記電線挿入孔から前記コンセントケース内に挿入された電線を前記電線押え部とにより挟持し、前記電線を挟持することにより前記一方の栓刃受け側板に前記他方の栓刃受け側板に向けた押圧力を作用させる板バネと；
を具備していることを特徴とする埋込型コンセント。
【発明の詳細な説明】
【０００１】
【発明の属する技術分野】
本発明は、壁面などに埋め込んで使用される埋込型コンセントに関する。
【０００２】
【従来の技術】
埋込型コンセントの従来例の一例を図５及び図６に基づいて説明する。下ケース１と上ケース２とが連結され、コンセントケース３が形成されている。上ケース２には、図示しないプラグの栓刃が挿入される二個の栓刃挿入孔４と、プラグのアース端子が挿入される１個のアース端子挿入孔５とが形成されている。
【０００３】
下ケース１には、それぞれ１個の栓刃受け６が収納される２つの栓刃受け収納凹部７、アース端子受け（図示せず）が収納される１つのアース端子受け収納凹部（図示せず）、後述する端子部や板バネを介して栓刃受け６に接続される電線８が挿入される電線挿入孔９が形成されている。栓刃受け６は、栓刃挿入孔４から挿入された栓刃を挟持する一対の栓刃受け側板１０ａ，１０ｂと、これらの栓刃受け側板１０ａ，１０ｂの一端側を連結する栓刃受け底板１１とから形成されている。栓刃受け６が栓刃受け収納凹部７内に収納されたとき、各栓刃受け６における一対の栓刃受け側板１０ａ，１０ｂの先端部が栓刃挿入孔４に対向している。
【０００４】
栓刃受け６には、この栓刃受け６と電線８とを接続するための端子部１２が一体に形成されている。この端子部１２は、栓刃受け底板１１から側方に突出して所定の形状に切断された部材を折り曲げ加工することにより形成され、電線挿入孔９から挿入された電線８を挟持するための板バネ１３が装着される一対の電線押え部１４ａ，１４ｂが平行に対向して設けられている。
【０００５】
【発明が解決しようとする課題】
栓刃受け収納凹部７内に収納された栓刃受け６は、栓刃受け６の外面と栓刃受け収納凹部７の内周面とが面接触し、収納位置の位置決めが行われている。このため、通電時に栓刃受け６で発生した熱が下ケース１に伝わり易く、コンセントケース３が熱により変形することがある。
【０００６】
また、栓刃受け６における栓刃受け底板１１や栓刃受け側板１０ａ，１０ｂが栓刃受け収納凹部７の内周面に面接触しているので、栓刃受け６を形成するときの曲げ箇所や切断箇所において寸法のバラツキを生じていると、栓刃受け収納凹部７内への栓刃受け６の収納ができなくなったり、収納できたとしても栓刃受け６が傾いた状態となって栓刃受け側板１０ａ，１０ｂが栓刃挿入孔４にまっすぐ対向しないという事態が発生する。
【０００７】
電線挿入孔９からコンセントケース３内に挿入された電線８は、板バネ１３と電線押え部１４ａとに挟持され、抜け止めされる。このとき、板バネ１３の押圧力は、一対の電線押え部１４ａ，１４ｂと電線８に対して作用し、板バネ１３の押圧力は栓刃受け側板１０ａ，１０ｂに対して何らの影響を与えない。
【０００８】
本発明は、通電時に栓刃受けから発生した熱がコンセントケースに伝わることを抑制してコンセントケースの熱による変形などを防止することができる埋込型コンセントを提供することを目的とする。
【０００９】
本発明は、栓刃受けが寸法のバラツキを生じている場合でも、その栓刃受けを栓刃受け収納凹部内に容易に収納することができるとともに、一対の栓刃受け側板を栓刃挿入孔に対してまっすぐに対向させることができる埋込型コンセントを提供することを目的とする。
【００１０】
本発明は、端子部において用いられる板バネの押圧力を利用して栓刃受け側板によるプラグの栓刃の挟持力を高め、埋込型コンセントへのプラグの接続状態を安定させることができる埋込型コンセントを提供することを目的とする。
【００１１】
【課題を解決するための手段】
【００１５】
請求項１記載の発明の埋込型コンセントは、下ケースと上ケースとが連結され、プラグの栓刃が挿入される栓刃挿入孔が前記上ケースに形成され、栓刃受け収納凹部と電線挿入孔とが前記下ケースに形成されたコンセントケースと；一対の栓刃受け側板とこれらの栓刃受け側板の一端側を連結する栓刃受け底板とから形成されて前記栓刃受け収納凹部内に収納され、当該栓刃受け収納凹部内で一方の前記栓刃受け側板と反対側の位置で他方の栓刃受け側板が前記下ケースに当接されて保持され、前記栓刃挿入孔から前記コンセントケース内に挿入された前記栓刃を一対の前記栓刃受け側板で挟持する栓刃受けと；前記他方の栓刃受け側板と反対側の位置で前記一方の前記栓刃受け側板に平行に対向する電線押え部が設けられて前記栓刃受けに一体に形成された端子部と；前記他方の栓刃受け側板と前記電線押え部との間に装着され、前記電線挿入孔から前記コンセントケース内に挿入された電線を前記電線押え部とにより挟持し、前記電線を挟持することにより前記一方の栓刃受け側板に前記他方の栓刃受け側板に向けた押圧力を作用させる板バネと；を具備している。
【００１６】
したがって、下ケースの栓刃受け収納凹部内に栓刃受けを収納し、この下ケースに上ケースを連結し、上ケースに形成された栓刃挿入孔から挿入されたプラグの栓刃を栓刃受けの栓刃受け側板で挟持することにより、埋込型コンセントへのプラグの接続が行われる。
【００１７】
ここで、栓刃受けと電線とを接続するための端子部に設けられた電線押え部と一方の栓刃受け側板との間に板バネが挿入され、電線挿入孔からコンセントケース内へ挿入された電線を電線押え部と板バネとにより挟持したとき、板バネの押圧力が一方の栓刃受け側板に作用し、この栓刃受け側板が他方の栓刃受け側板に向けて押圧される。これにより、一対の栓刃受け側板によるプラグの栓刃の挟持力が高くなり、埋込型コンセントに接続されたプラグが抜けにくくなり、埋込型コンセントへのプラグの接続状態が安定する。
【００１９】
また、栓刃受けと端子部とが１部品となり、埋込型コンセントを構成する部品点数が少なくなる。さらに、端子部には、栓刃受け側板に平行に対向する電線押え部を１つ設ければよく、端子部の構造が簡単になる。
【００２０】
【発明の実施の形態】
本発明の一実施の形態を図１ないし図４に基づいて説明する。図１は、本発明の埋込型コンセントを示す縦断正面図である。図２は、その平面図である。図３は、上カバーの一部を破断して埋込型コンセントの内部構造を示す平面図である。図４は端子部が一体に形成された栓刃受けを示す斜視図である。
【００２１】
下ケース１５と上ケース１６とが止め金具や固定爪により連結され、コンセントケース１７が形成されている。上ケース１６には、図示しないプラグの栓刃が挿入される二個の栓刃挿入孔１８と、プラグのアース端子が挿入される１個のアース端子挿入孔１９とが形成されている。
【００２２】
下ケース１５には、それぞれ１個の栓刃受け２０が収納される２つの栓刃受け収納凹部２１、アース端子受け（図示せず）が収納される１つのアース端子受け収納凹部（図示せず）、後述する端子部や板バネを介して栓刃受け２０に接続される電線２２が挿入される電線挿入孔２３が形成されている。栓刃受け２０は、栓刃挿入孔１８から挿入された栓刃を挟持する一対の栓刃受け側板２４ａ，２４ｂと、これらの栓刃受け側板２４ａ，２４ｂの一端側を連結する栓刃受け底板２５とから形成されている。栓刃受け２０が栓刃受け収納凹部２１内に収納されたとき、各栓刃受け２０における一対の栓刃受け側板２４ａ，２４ｂの先端部が栓刃挿入孔１８に対向している。
【００２３】
栓刃受け収納凹部２１の底面部内周面には、この栓刃受け収納凹部２１内に収納された栓刃受け２０における栓刃受け底板２５の外面に当接されるリブ状突起２６が形成されている。また、栓刃受け収納凹部２１の側面部内周面には、この栓刃受け収納凹部２１内に収納された栓刃受け２０における栓刃受け側板２４ｂの外面に当接されるリブ状突起２７が形成されている。さらに、栓刃受け収納凹部２１の側面部内周面には、この栓刃受け収納凹部２１内に収納された栓刃受け２０における栓刃受け底板２５の端部外面に当接されるリブ状突起２８が形成されている。栓刃受け収納凹部２１内に収納された栓刃受け２０の外面にリブ状突起２６〜２８が当接されることにより、栓刃受け２０の外面と栓刃受け収納凹部２１の内周面との間には隙間２９が形成されている。
【００２４】
栓刃受け２０には、この栓刃受け２０と電線２２とを接続するための端子部３０が一体に形成されている。この端子部３０は、折り曲げ加工により一方の栓刃受け側板２４ａに一体に形成され、その先端部には、栓刃受け側板２４ａと平行に対向する電線押え部３１が形成されている。
【００２５】
栓刃受け側板２４ａと電線押え部３１との間には、電線挿入孔２３からコンセントケース１７内に挿入された電線２２を挟持するための板バネ３２と、板バネ３２を押圧して撓ませることによりこの板バネ３２による電線２２の挟持状態を解除するリリース釦３３とが装着されている。電線挿入孔２３からコンセントケース１７内に挿入された電線２２は、電線押え部３１と板バネ３２との間に挿入され、板バネ３２の押圧力により抜け止めされる。電線２２を板バネ３２と体バネ押え部３１とで挟持したとき、板バネ３２の押圧力は栓刃受け側板２４ａにも作用し、栓刃受け側板２４ａは他方の栓刃受け側板２４ｂに向けて押圧される。このとき、電線押え部３１の外側面は下ケース１５の内周面に当接し、電線押え部３１が栓刃受け側板２４ａから離反する向きに広がることが防止されている。
【００２６】
このような構成において、下ケース１５の２つの栓刃受け収納凹部２１内にそれぞれ栓刃受け２０を板バネ３２やリリース釦３３と共に収納し、アース端子受け収納凹部内にアース端子を板バネ（図示せず）やリリース釦（図示せず）と共に収納し、この下ケース１５に上ケース１６を連結することにより埋込型コンセントが形成されている。このような埋込型コンセントでは、下ケース１５の電線挿入孔２３から電線２２が挿入され、この電線２２は板バネ３２と電線押え部３１とで挟持されて抜け止めされている。
【００２７】
ここで、栓刃受け収納凹部２１内に収納された栓刃受け２０は、その外面にリブ状突起２６〜２８が当接され、栓刃受け２０の外面と栓刃受け収納凹部２１の内周面との間に隙間２９が形成されている。このため、プラグを埋込型コンセントに接続して通電させたときに、栓刃受け２０から熱が発生してもその熱を隙間２９を通してコンセントケース１７外へ放熱することができる。このため、通電時に栓刃受け２０で発生した熱がコンセントケース１７に伝わりにくくなり、コンセントケース１７の熱による変形などを防止することができる。
【００２８】
さらに、栓刃受け２０の外面には栓刃受け収納凹部２１の内周面に形成されたリブ状突起２６〜２８が当接され、栓刃受け２０の外面と栓刃受け収納凹部２１の内周面とは面接触しない。このため、栓刃受け収納凹部２１内に収納しようとする栓刃受け２０が曲げ箇所や切断箇所において寸法のバラツキを生じている場合でも、その栓刃受け２０を栓刃受け収納凹部２１内に容易に収納することができる。しかも、一対の栓刃受け側板２４ａ，２４ｂが栓刃挿入孔１８に対してまっすぐに対向するように栓刃受け２０の収納向きを容易に調整することができる。これにより、プラグの着脱操作の操作性が向上する。
【００２９】
つぎに、栓刃受け２０と電線２２とを接続するために電線２２を電線挿入孔２３からコンセントケース１７内に挿入し、この電線２２を板バネ３２と電線押え部３１とにより挟持したとき、板バネ３２の押圧力が一方の栓刃受け側板２４ａに作用し、この栓刃受け側板２４ａが他方の栓刃受け側板２４ｂに向けて押圧される。これにより、一対の栓刃受け側板２４ａ，２４ｂの間隔が狭まる状態となり、これらの栓刃受け側板２４ａ，２４ｂによるプラグの栓刃の挟持力が高くなり、埋込型コンセントに接続されたプラグが抜けにくくなり、埋込型コンセントへのプラグの接続状態が安定する。
【００３０】
端子部３０は折り曲げ加工により一方の栓刃受け側板２４ａに一体に形成されているので、栓刃受け２０と端子部３０とを１部品として形成することができ、埋込型コンセントを構成する部品点数を少なくすることができる。さらに、端子部３０には、栓刃受け側板２４ａに平行に対向する１つの電線押え部３１を曲げ加工により形成すればよく、端子部３０の構造が簡単になる。
【００３１】
【発明の効果】
【００３２】
請求項１記載の発明の埋込型コンセントによれば、電線挿入孔からコンセントケース内へ挿入された電線を、端子部に設けられた電線押え部と板バネとにより挟持したとき、板バネの押圧力が一方の栓刃受け側板に作用し、この栓刃受け側板が他方の栓刃受け側板に向けて押圧されように板バネが装着されているので、一対の栓刃受け側板によるプラグの栓刃の挟持力を高くすることができ、これにより、埋込型コンセントに接続されたプラグが抜けにくくなり、埋込型コンセントへのプラグの接続状態を安定させることができる。
【００３３】
また、端子部は一方の栓刃受け側板に一体に形成されているので、栓刃受けと端子部とが１部品になり、埋込型コンセントを構成する部品点数を少なくすることができる。さらに、端子部には栓刃受け側板に平行に対向する電線押え部を１つ設ければよいので、端子部の構造を簡単にすることができる。
【図面の簡単な説明】
【図１】本発明の一実施の形態の埋込型コンセントを示す縦断正面図である。
【図２】その平面図である。
【図３】上カバーの一部を破断して埋込型コンセントの内部構造を示す平面図である。
【図４】端子部が一体に形成された栓刃受けを示す斜視図である。
【図５】従来例の埋込型コンセントを示す縦断正面図である。
【図６】上カバーの一部を破断して埋込型コンセントの内部構造を示す平面図である。
【符号の説明】
１５：下ケース
１６：上ケース
１７：コンセントケース
１８：栓刃挿入孔
２０：栓刃受け
２１：栓刃受け収納凹部
２３：電線挿入孔
２４ａ，２４ｂ：栓刃受け側板
２５：栓刃受け底板
２６〜２８：リブ状突起
２９：隙間
３０：端子部
３１：電線押え部
３２：板バネ
【図１】
0003998881.tif 000002
【図２】
0003998881.tif 000003
【図３】
0003998881.tif 000004
【図４】
0003998881.tif 000005
【図５】
0003998881.tif 000006
【図６】
0003998881.tif 000007